(57)【要約】【課題】組み立てが簡単でコストを低減することができ、しかも、取付強度を高める。【解決手段】魚釣用リールのツマミ３０は、支軸を介して回転自在に支持される芯材３１と、弾性変形可能な材料で形成され、芯材３１に外嵌される筒状の把持部材３５と、を備えた魚釣用リールのツマミ３０であって、芯材３１には、把持部材３５の内面３５ａに当接して支軸２０の軸線方向と直交する方向に把持部材３５の外形状を膨出変形させる、変形付与部が設けられている構成とした。【選択図】図２
2015047108.tif 000002
【特許請求の範囲】
【請求項１】
支軸を介して回転自在に支持される芯材と、弾性変形可能な材料で形成され、前記芯材に外嵌される筒状の把持部材と、を備えた魚釣用リールのツマミであって、
前記芯材には、前記把持部材の内面に当接して前記支軸の軸線方向と直交する方向に前記把持部材の外形状を膨出変形させる、変形付与部が設けられていることを特徴とする魚釣用リールのツマミ。
【請求項２】
前記把持部材の内面は円筒状とされており、前記変形付与部の前記軸線方向と直交する方向の断面は非円形状とされていることを特徴とする請求項１に記載の魚釣用リールのツマミ。
【請求項３】
前記変形付与部の断面は、多角形状とされていることを特徴とする請求項２に記載の魚釣用リールのツマミ。
【請求項４】
前記変形付与部には、前記把持部材の内面に係止される係止部が設けられていることを特徴とする請求項１から請求項３のいずれか１項に記載の魚釣用リールのツマミ。
【請求項５】
支軸を介して回転自在に支持される芯材と、弾性変形可能な材料で形成され、前記芯材に外嵌される筒状の把持部材と、を備えた魚釣用リールのツマミの組付方法であって、
前記芯材の外面には変形付与部が設けられており、
前記芯材に前記把持部材を外嵌する過程で、前記把持部材の内面に前記変形付与部を押圧させて前記把持部材を弾性変形させることで、前記芯材の軸線方向と直交する方向に前記把持部材の外形状を膨出変形させることを特徴とする魚釣用リールのツマミの組付方法。
【発明の詳細な説明】
【技術分野】
【０００１】
本発明は、魚釣用リールのツマミおよび組付方法に関する。
【背景技術】
【０００２】
一般に、スピニングリールや両軸リール等の魚釣用リールにおいて、ハンドル軸の先端部にはハンドルが取り付けられている。ハンドルは、ハンドルアームと、ハンドルアームの先端に取り付けられるツマミとを有している（例えば、特許文献１参照）。
【０００３】
特許文献１のツマミは、ハンドルアームに支軸を介して回転自在に支持される芯材と、芯材に外嵌される筒状の把持部材と、を備えて構成されている。
芯材の外面には、芯材の軸線方向に間隔を空けて複数の周溝が形成されている。周溝は、把持部材の取り付け時に用いられる余分な接着剤を逃がす逃げ部として機能する。芯材の端部には、把持部材を固定するためのキャップが螺着される。
【０００４】
このようなツマミは、接着剤を介して芯材に把持部材を装着した後、キャップ部材を芯材の端部に螺合することで組み立てられる。
【先行技術文献】
【特許文献】
【０００５】
【特許文献１】特開２０１１−４６８１号公報
【発明の概要】
【発明が解決しようとする課題】
【０００６】
特許文献１では、芯材に把持部材を装着する際に、面倒な接着剤の塗布作業が必要であった。このため、生産効率が悪く、コストアップとなる課題があった。
また、接着剤の塗布量を一定にすることが難しく、また、把持部材を握り込んで回転操作する際に加わる外力によって、芯材と把持部材との接着部分が剥離してしまう可能性もあり、取付強度が安定しないという課題があった。
【０００７】
本発明は、前記問題を解決するためになされたものであり、組み立てが簡単でコストを低減することができ、しかも、取付強度を高めることができる魚釣用リールのツマミおよび組付方法を提供することを課題とする。
【課題を解決するための手段】
【０００８】
このような課題を解決する本発明の魚釣用リールのツマミは、支軸を介して回転自在に支持される芯材と、弾性変形可能な材料で形成され、前記芯材に外嵌される筒状の把持部材と、を備えた魚釣用リールのツマミであって、前記芯材には、前記把持部材の内面に当接して前記支軸の軸線方向と直交する方向に前記把持部材の外形状を膨出変形させる、変形付与部が設けられていることを特徴とする。
【０００９】
この魚釣用リールのツマミによれば、芯材に把持部材を外嵌すると、芯材に設けられた変形付与部が把持部材の内面に当接して内面側から把持部材を押圧する。この押圧により、把持部材の外形状が支軸の軸線方向と直交する方向に膨出変形する。
【００１０】
また、把持部材の内面が円筒状とされており、変形付与部の軸線方向と直交する方向の断面は非円形状とされているのがよい。このようにすると、非円形状の変形付与部が把持部材の円形状の内面に当接し内面側から把持部材を好適に押圧する。これにより、芯材の断面非円形状に近似して支軸の軸線方向と直交する方向に把持部材の外形状が好適に膨出変形される。
【００１１】
また、前記変形付与部の断面は、多角形状とされているのがよい。このようにすると、芯材の多角形状の角部が把持部材の内面に当接して内面側から把持部材を押圧する。これにより、把持部材の外形状が芯材の外形状に近似して支軸の軸線方向と直交する方向に略多角形状に膨出変形される。
【００１２】
また、把持部材の内面に係止される係止部を、芯材の変形付与部に設けるとよい。このようにすることで、係止部が把持部材の移動を規制する。
【００１３】
また、本発明の魚釣用リールのツマミの組付方法は、支軸を介して回転自在に支持される芯材と、弾性変形可能な材料で形成され、前記芯材に外嵌される筒状の把持部材と、を備えた魚釣用リールのツマミの組付方法であって、前記芯材の外面には変形付与部が設けられており、前記芯材に前記把持部材を外嵌する過程で、前記把持部材の内面に前記変形付与部を押圧させて前記把持部材を弾性変形させることで、前記芯材の軸線方向と直交する方向に前記把持部材の外形状を膨出変形させることを特徴とする。
【００１４】
この魚釣用リールのツマミの組付方法によれば、芯材に把持部材を外嵌する過程で、芯材の変形付与部が把持部材の内面に当接して内面側から把持部材を押圧する。この押圧により、把持部材が弾性変形し、把持部材の外形状が支軸の軸線方向と直交する方向に膨出変形される。
【発明の効果】
【００１５】
本発明の魚釣用リールのツマミによれば、芯材に把持部材を外嵌する過程で、芯材の変形付与部が把持部材の内面に当接して内面側から把持部材を押圧するので、この押圧を用いて把持部材を芯材に好適に固定することができる。したがって、ツマミの組み立てが簡単であり、コストを低減することができる。しかも、把持部材は、その弾性により、芯材を締め付けるように取り付けられるので、芯材に対する把持部材の取付強度を高めることができる。
また、芯材に対する把持部材の取付強度を高めることができるので、芯材の軸周りに把持部材が滑るのを好適に防止することができる。これにより、操作性の向上を図ることができる。
【００１６】
また、把持部材の外形状を膨出変形させることができるので、把持面積が増える。これにより、例えば、魚釣用リールのハンドルアームに備わるツマミに対して適用した場合には、魚が掛かった際等の高負荷巻き時にも好適にツマミを握持することが可能となる。したがって、十分な操作力でハンドル操作を行うことが可能となる。
【００１７】
また、芯材の外形状を把持部材の外形状に反映させることができるので、外形状の異なる芯材を複数種類用意することにより、異なる外形状に膨出変形されたツマミを複数種類得ることができる。この場合、把持部材は所定の外形状を有するものを一種類用意すればよいので、低コストで複数種類の魚釣用リールに対応したツマミを得ることができる。
【００１８】
また、把持部材の内面が円筒状とされ、変形付与部の軸線方向と直交する方向の断面が非円形状とされた構成では、非円形状の変形付与部が把持部材の円形状の内面に当接して内面側から把持部材を好適に押圧するので、形状の異なるもの同士による押圧を用いて把持部材を芯材に好適に固定することができる。また、形状の異なるもの同士による押圧であるので、芯材に対する把持部材の取付強度をより高めることができる。特に変形付与部が角部を有する場合に、角部が把持部材の内面に食い込むようにして押圧するので、取付強度をより高めることができる。また、変形付与部の角部は、芯材の軸周りに把持部材が滑るのを防止する回り止め防止部としても機能する。
【００１９】
また、変形付与部の断面を多角形状とすることにより、芯材の多角形状の角部が把持部材の内面に当接して内面側から把持部材を押圧するので、取付強度をより高めることができる。
【００２０】
また、変形付与部に係止部が設けられた構成では、係止部が把持部材の移動を規制するので、芯材から把持部材が脱落するのを防止することができる。これにより、取付強度をより高めることができる。
【００２１】
本発明の魚釣用リールのツマミの組立方法によれば、芯材に把持部材を外嵌する過程で、芯材の変形付与部材が把持部材の内面に当接して内面側から把持部材を押圧するので、この押圧を用いて把持部材を芯材に好適に固定することができる。したがって、ツマミの組み立てが簡単であり、コストを低減することができる。しかも、把持部材は、芯材を締め付けるように取り付けられるので、芯材に対する把持部材の取付強度を高めることができる。
【図面の簡単な説明】
【００２２】
【図１】本発明の第１実施形態に係る魚釣用リールのツマミが適用される魚釣用リールを示した図であり、（ａ）は側面図、（ｂ）は後面図である。
【図２】（ａ）は芯材の断面図、（ｂ）は芯材の側面図、（ｃ）は把持部材の内面と芯材との大きさの関係を示す説明図である。
【図３】（ａ）はツマミの断面図、（ｂ）はツマミの側面図である。
【図４】（ａ）は把持部材の断面図、（ｂ）は把持部材の側面図、（ｃ）は芯材に外嵌した後の把持部材を示す断面図、（ｄ）は芯材に外嵌した後の把持部材の側面図、（ｅ）は装着前と装着後との把持部材の外形状を比較して示す説明図、（ｆ）は装着前と装着後との把持部材の外形状を比較して示す側面図である。
【図５】（ａ）は組付時の様子を示す斜視図、（ｂ）は組付後のツマミを示す斜視図である。
【図６】本発明の第２実施形態に係る魚釣用リールのツマミを説明するための図であり、（ａ）は芯材の断面図、（ｂ）は芯材の側面図、（ｃ）は芯材の平面図である。
【図７】第２実施形態に係る魚釣用リールのツマミを示す図であり、（ａ）は断面図、（ｂ）は側面図である。
【図８】本発明の第３実施形態に係る魚釣用リールのツマミが適用される芯材を示す図であり、（ａ）は第一例の前面図、（ｂ）は第一例の側面図、（ｃ）は第二例の前面図、（ｄ）は第二例の側面図、（ｅ）は第三例の前面図、（ｆ）は第三例の側面図である（各側面図においてフランジ部は省略）。
【図９】本発明の第４実施形態に係る魚釣用リールのツマミが適用される芯材を示す図であり、（ａ）は断面図、（ｂ）は側面図、（ｃ）はその他の側面図、（ｄ）はその他の側面図である。
【図１０】本発明の第５実施形態に係る魚釣用リールのツマミが適用される芯材を示す図であり、（ａ）は断面図、（ｂ）は側面図、（ｃ）はその他の側面図、（ｄ）はその他の側面図である。
【図１１】本発明の第６実施形態に係る魚釣用リールのツマミが適用される芯材を示す図であり、（ａ）は断面図、（ｂ）は側面図、（ｃ）はその他の側面図である。
【図１２】本発明の第７実施形態に係る魚釣用リールのツマミが適用される芯材を示す図であり、（ａ）は断面図、（ｂ）は側面図である。
【発明を実施するための形態】
【００２３】
以下、本発明に係る魚釣用リールのツマミの実施形態について図面を参照しながら説明する。なお、以下の説明において、「前後」「左右」を言うときは、図１に示した方向を基準とする。なお、説明において、同一の要素には同一の符号を用い、重複する説明は省略する。
【００２４】
（第１実施形態）
図１（ａ）に示すように、魚釣用リールとしてのスピニングリール１は、リール本体１ａと、リール本体１ａから延出する脚部１ｂと、脚部１ｂの端部に形成されかつ図示しない釣竿に取り付けられる竿取付部１ｃとを有している。リール本体１ａ内には、ハンドル５が固定される駆動軸としてのハンドル軸２が回転可能に支持されている。ハンドル軸２にはドライブギア３が固定されており、このドライブギア３には、ハンドル軸２に対して直交する方向に延びかつリール本体１ａに軸受を介して回転可能に支持された管状のピニオンギア１３が噛合している。このピニオンギア１３の先端部には、図示しないロータナットを介して、ベール６および釣糸案内装置を備えたロータ８が一体的に取り付けられている。
【００２５】
リール本体１ａ内には、ハンドル軸２と直交する方向にスプール軸９が延在している。スプール軸９は、ピニオンギア１３を貫通してピニオンギア１３と同心的に配されており、ハンドル軸２と直交する前後方向に進退動可能に設けられている。また、スプール軸９の先端部には釣糸が巻回されるスプール１０が取り付けられている。
【００２６】
ドライブギア３には、ピニオンギア１３を介して図示しないオシレーティング機構が係合している。このオシレーティング機構は、ピニオンギア１３と噛み合って回転するウォームシャフト（トラバースカム軸）と、このウォームシャフトの溝と噛み合いかつスプール軸９に対してその軸方向に移動不能に取り付けられたスライダとからなり、ハンドル軸２がハンドル５の回転操作によって回転されると、スプール軸９を軸方向に沿って往復駆動（前後動）される。
【００２７】
このような構成では、ハンドル５を回転操作してハンドル軸２を回転させると、オシレーティング機構を介してスプール軸９に取り付けられたスプール１０が前後に往復動する。これとともに、ドライブギア３およびピニオンギア１３を介してロータ８が回転駆動される。
【００２８】
図１（ｂ）に示すように、ハンドル軸２は、ハンドル５を左右で付け替え可能とするべく、リール本体１ａ内でスプール軸９（図１（ａ）参照）と交差する左右方向に延びている。具体的には、ハンドル軸２の両側部は図示しない軸受を介してリール本体１ａに回転可能に支持されるとともに、ハンドル５が固定されるハンドル軸２の左右両端部は、リール本体１ａの左右両側に臨むべく、リール本体１ａの左右両側に形成された開口部に位置決めされている。
【００２９】
一方、ハンドル軸２に着脱自在に取り付けられるハンドル５は、ハンドル軸２に連結されるハンドルアーム５ａと、ハンドルアーム５ａの先端にピン５ｂで取り付け固定された支軸２０（図２（ａ）参照）と、支軸２０に回転自在に抜け止めされたツマミ３０とを含んで構成される。
【００３０】
以下では、本発明をハンドルアーム５ａのツマミ３０に適用した例について説明する。
図３（ａ）に示すように、ツマミ３０は、支軸２０に回転自在に抜け止め装着される金属製あるいは樹脂製等の芯材３１と、芯材３１の外周面に外嵌され、弾性変形可能な把持部材３５とを備えて構成されている。
芯材３１は、支軸２０を取り囲むように軸受２１，２２を介して支軸２０に回転自在に取り付けられ、支軸２０の端部に螺合されるねじ２３で支軸２０に固定されている。
芯材３１は、図３（ａ）に示すように、略長方形の縦断面（側面）を有する略四角柱状を呈しており（図４（ａ）参照）、相反する方向を向く一対の平面部３２と、一対の平面部３２に隣り合う一対の湾曲面３３とを有している。一対の平面部３２と一対の湾曲面３３との連結部分はアール状に形成されている。
芯材３１は、支軸２０が挿通配置さる挿通孔３１ｂを有している。挿通孔３１ｂの開口には、図２，図３に示すように、キャップ２５が装着される。また、芯材３１の基端にはフランジ部３１ｄが形成されている。フランジ部３１ｄには、把持部材３５の端部が当接する（図３（ａ）参照）。
【００３１】
芯材３１は、図２（ｃ）に示すように、把持部材３５を同軸に重ね合わせた際に、把持部材３５の内面３５ａ（図中破線で図示）よりも径方向外側に張り出す張出部３４ａ，３４ａ（図中斜線で図示）を有している。張出部３４ａ，３４ａは、一対の湾曲面３３を含んで形成されている。張出部３４ａ，３４ａは、芯材３１に把持部材３５を外嵌する過程で、把持部材３５の内面３５ａを押し広げるように当接し、支軸２０の軸線方向と直交する方向に内面３５ａを押圧する。把持部材３５は、この押圧によって支軸２０の軸線方向と直交する方向に外形状が膨出変形するようになっている。張出部３４ａ，３４ａは、特許請求の範囲における「変形付与部」に相当する。
【００３２】
把持部材３５は、図４（ａ）（ｂ）に示すように、円筒形状を呈している。把持部材３５は、ＥＶＡ樹脂（エチレン酢酸ビニル共重合樹脂）等の合成樹脂を切削加工することによって形成され、側面視円形の外形状を有する。把持部材３５の内面３５ａは、図２（ｃ）に示すように、芯材３１の径方向の最大寸法Ｌ１よりも小さい内径寸法Ｌ２を有している。
把持部材３５の端部開口縁部３５ｄは、面取りされている。また、把持部材３５の側端面３５ｅは、図３（ａ）に示すように、芯材３１の先端面３１ｅと面一となるように形成されている。
なお、把持部材３５は、弾性変形可能なゴム部材等の材料を用いて形成されていてもよい。
【００３３】
このような把持部材３５は、概略次のようにして芯材３１に外嵌される。
はじめに、図５（ａ）に示すように、把持部材３５を芯材３１に近付け、把持部材３５の端部開口縁部３５ｄを芯材３１の先端部に当接する。その後、芯材３１の先端部で把持部材３５の端部開口縁部３５ｄを押し広げるようにして、芯材３１の軸線方向に把持部材３５を押し込む。
【００３４】
そうすると、芯材３１の張出部３４ａ，３４ａが把持部材３５の内面３５ａに当接して内面３５ａ側から把持部材３５を押圧する状態となり、把持部材３５の外形状が支軸２０の軸線方向と直交する方向に膨出変形する（図４（ｃ）（ｄ）参照）。つまり、図４（ｅ）（ｆ）に示すように、芯材３１に把持部材３５を外嵌する過程で、芯材３１（張出部３４ａ，３４ａ、）による押圧が把持部材３５の外形状に及び、把持部材３５の外形状が芯材３１（張出部３４ａ，３４ａ）の外形状に近似して図中矢印方向（軸線方向と直交する方向）に変形する。
これにより、図５（ｂ）に示すように、扁平状とされたツマミ３０が得られる（図３（ａ）（ｂ）参照）。
【００３５】
以上説明した本実施形態の魚釣用リールのツマミ３０によれば、芯材３１に把持部材３５を外嵌する過程で、芯材３１の張出部３４ａ，３４ａが把持部材３５の内面３５ａに当接して内面３５ａ側から把持部材３５を軸線方向と直交する方向に押圧するので、この押圧を用いて把持部材３５を芯材３１に好適に固定することができる。したがって、ツマミ３０の組み立てが簡単であり、コストを低減することができる。しかも、把持部材３５は、その弾性により、芯材３１を締め付けるように取り付けられるので、芯材３１に対する把持部材３５の取付強度を高めることができる。
また、芯材３１に対する把持部材３５の取付強度を高めることができるので、芯材３１の軸周りに把持部材３５が滑るのを好適に防止することができる。これにより、操作性の向上を図ることができる。
【００３６】
また、把持部材３５の外形状を膨出変形させることができるので、把持面積が増え、魚が掛かった際等の高負荷巻き時にも好適にツマミ３０を握持することが可能となる。したがって、十分な操作力でハンドル５の操作を行うことが可能となる。
特に本実施形態では、肉厚の薄い把持部材３５の基端部３５ｃ（図３（ａ），図５（ｂ）参照）の外形状が芯材３１の外形状に非常に近似したものとなるので、把持部材３５を握り込んで回転操作する際に、しっかりとした握持力をもって把持することができる。したがって、操作フィーリングが向上する。
【００３７】
また、芯材３１の外形状を把持部材３５の外形状に反映させることができるので、外形状の異なる芯材３１を複数種類用意することにより、異なる外形状に膨出変形されたツマミ３０を複数種類得ることができる。この場合、把持部材３５は所定の外形状を有するものを一種類用意すればよいので、低コストで複数種類のスピニングリール１に対応したツマミ３０を得ることができる。
なお、把持部材３５がＥＶＡ樹脂からなる場合、把持部材３５は、切削加工により形成されるため側面視円形状のものしか形成することができないが、本実施形態のような形状の異なる芯材３１を用いるだけで、従来では得られなかった外形状（側面視非円形状のツマミ３０）を簡単に得ることができる。
【００３８】
芯材３１と把持部材３５とは、形状の異なるもの同士による装着であるので、把持部材３５に対する芯材３１の取付強度をより高めることができる。
【００３９】
（第２実施形態）
次に図６、図７を参照して第２実施形態の魚釣用リールのツマミについて説明する。
本実施形態が前記第１実施形態と異なるところは、芯材３１の外面（湾曲面３３、張出部３４ａ，３４ａの外面）に突状の係止部４０を設けた点にある。
【００４０】
係止部４０は、一対の湾曲面３３上にそれぞれ形成されており、傾斜部４１と、直線部４２と、係止部４３とを有している。傾斜部４１は、芯材３１に対して把持部材３５を外嵌する際の把持部材３５の装着方向の押し込みを妨げないように装着方向に斜面が序々に高くなる傾斜状とされている。直線部４２は、傾斜部４１に連続しており、把持部材３５の内面３５ａを押圧する（図７（ａ）参照）。係止部４３は、直線部４２の端部に連続しており、支軸２０の略径方向に切り立っている面である。係止部４３の角部４３ａは、図７（ａ）に示すように、芯材３１に把持部材３５が外嵌された状態で把持部材３５の内面３５ａに食い込むように当接する。なお、図７（ｂ）において破線で示した把持部材３５は、装着前の把持部材３５である。
【００４１】
本実施形態によれば、係止部４０を設けることにより、芯材３１から把持部材３５が脱落するのを好適に防止することができ、取付強度をより高めることができる。
【００４２】
なお、係止部４０は、一対の湾曲面３３の一方に設けてもよい。また、一対の平面部３２の一方または両方に設けてもよく、一対の湾曲面３３および一対の平面部３２に設けてもよい。
さらに、係止部４０は、支軸２０の軸線方向に位置をずらして設けてもよい。
【００４３】
また、係止部４０は、湾曲面３３（張出部３４ａ，３４ａの外面）から突出形成されて、把持部材３５の内面３５ａを押圧すればよく、適宜の形状を採用し得る。なお、係止部４０によって、把持部材３５の外形状を膨出変形させてもよい。
【００４４】
（第３実施形態）
図８を参照して第３実施形態の魚釣用リールのツマミについて説明する。
本実施形態が前記第１，第２実施形態と異なるところは、芯材３１の外周面に回り止め部４５，４６を突設した点にある。
【００４５】
図８（ａ）（ｂ）に示す例では、一対の湾曲面３３上に回り止め部４５を設けている。回り止め部４５は、芯材３１の軸線方向に延出しており、把持部材３５（図４（ａ）参照）の内面３５ａに当接する。
このような回り止め部４５は、芯材３１の軸周りに把持部材３５が滑るのを規制する。
図８（ｃ）（ｄ）に示す例では、一対の湾曲面３３上および一対の平面部３２上に回り止め部４５を設けている。各回り止め部４５は、把持部材３５（図４（ａ）参照）の内面３５ａに当接する。
図８（ｅ）（ｆ）に示す例では、一対の湾曲面３３上に半円球状の回り止め部４６を設けている。回り止め部４６は、一つの湾曲面３３上において芯材３１の軸線方向に間隔を空けて２つ形成されている。各回り止め部４６は、把持部材３５（図４（ａ）参照）の内面３５ａに当接する。
【００４６】
本実施形態によれば、芯材３１の軸周りに把持部材３５が滑るのを回り止め部４５，４６の当接により好適に防止することができる。これにより、操作性の向上を図ることができる。
なお、回り止め部４５，４６に前記した係止部４０としての機能を持たせてもよい。
【００４７】
（第４実施形態）
図９を参照して第４実施形態の魚釣用リールのツマミについて説明する。本実施形態では、側面形状の異なる芯材３１Ａ〜３１Ｃを用いている。
図９（ａ）（ｂ）に示すツマミ３０では、正方形の側面形状（縦断面形状）を有する略四角柱状の芯材３１Ａを用いている。このような芯材３１Ａを用いることにより、把持部材３５の側面形状が芯材３１Ａに近似した略正方形となるように把持部材３５を膨出変形することができる。
【００４８】
図９（ｃ）に示すツマミ３０では、扁平長四角形状の縦断面（側面）を有する略四角柱状の芯材３１Ｂを用いている。このような芯材３１Ｂを用いることにより、把持部材３５の側面形状が芯材３１Ｂに近似した扁平長四角形状となるように把持部材３５を膨出変形することができる。
【００４９】
図９（ｄ）に示すツマミ３０では、楕円形状の縦断面（側面）を有する略楕円柱状の芯材３１Ｃを用いている。このような芯材３１Ｃを用いることにより、把持部材３５の側面形状が芯材３１Ｃに近似した楕円形状となるように把持部材３５を膨出変形することができる。
【００５０】
本実施形態によれば、側面形状の異なる芯材３１Ａ〜３１Ｃを用いることにより、把持部材３５の外形状を芯材３１Ａ〜３１Ｃの外形状に近似したものとすることができ、ツマミ３０のバリエーションが広がる。
【００５１】
（第５実施形態）
図１０を参照して第５実施形態の魚釣用リールのツマミについて説明する。本実施形態では、先端部からフランジ部３１ｄに向けてテーパ状に広がる芯材３１Ｄ〜３１Ｆを用いている。
図１０（ａ）（ｂ）に示す芯材３１Ｄは、側面形状が円形であり、フランジ部３１ｄに向けて拡径される略円柱状である。
図１０（ｃ）に示す芯材３１Ｅは、側面形状が正方形であり、フランジ部３１ｄに向けて縦断面積が拡がる略四角柱である。
図１０（ｄ）に示す芯材３１Ｆは、側面形状が一対の平面部３２と一対の湾曲面３３とを有する略長方形であり、フランジ部３１ｄに向けて縦断面積が拡がる略四角柱である。
【００５２】
芯材３１Ｄ〜３１Ｆは、いずれも先端部からフランジ部３１ｄに向けてテーパ状に広がる形状とされているので、把持部材３５を外嵌する際の組み付けが行い易い。
また、各テーパ面により、把持部材３５の基端部３５ｃ側を側端面３５ｅ側に比べて大きく膨出変形させることができるので、ツマミ３０をしっかりと握持することができる。これにより、十分な操作力でハンドル操作を行うことが可能となる。
【００５３】
（第６実施形態）
図１１を参照して第６実施形態の魚釣用リールのツマミについて説明する。本実施形態では、先端部からフランジ部３１ｄに向けてテーパ状に窄まる芯材３１Ｇ，３１Ｈを用いている。
図１１（ａ）（ｂ）に示す芯材３１Ｇは、側面形状が円形であり、フランジ部３１ｄに向けて縮径される略円柱状である。
図１１（ｃ）に示す芯材３１Ｈは、側面形状が一対の平面部３２と一対の湾曲面３３とを有する略長方形であり、フランジ部３１ｄに向けて縦断面積が縮小する略四角柱である。
【００５４】
芯材３１Ｇ〜３１Ｈは、いずれも先端部からフランジ部３１ｄに向けてテーパ状に窄まる形状とされているので、把持部材３５が脱落し難いツマミ３０とすることができ、取付強度を高めることができる。
【００５５】
（第７実施形態）
図１２を参照して第７実施形態の魚釣用リールのツマミについて説明する。本実施形態では、三角形の側面形状（縦断面形状）を有する略三角柱状の芯材３１Jを用いている。
【００５６】
このような芯材３１Jを用いることにより、把持部材３５の側面形状が芯材３１Ｊに近似した略三角形となるように把持部材３５を膨出変形することができる。
また、芯材３１Ｊの三角形の各頂部は、把持部材３５の内面３５ａに鋭角に食い込む状態となるので、芯材に対する把持部材の取付強度を高めることができる。
また、三角形の各頂部が把持部材３５の内面３５ａに鋭角に食い込むので、芯材３１Ｊの軸周りに把持部材３５が滑るのを好適に防止することができる。
【００５７】
また、ツマミ３０の操作時には、把持部材３５の三角形の各面を３本の指（親指、人差し指、中指）で摘むようにして保持することができるので、握持性に優れ、回転操作性に優れている。
【００５８】
前記第１実施形態から第７実施形態において、把持部材３５は、一種類の同様の形状を有するものを用いたが、これに限られることはなく、種々の外形状を有するものを用いてもよい。
また、把持部材３５は、芯材３１，３１Ａ等の全体を径方向から覆う大きさのものを用いたが、これに限られることなく、芯材３１，３１Ａ等の一部分（複数部分）を径方向から覆う構成であってもよい。芯材３１，３１Ａ等は、一部分が把持部材３５を通じて外部に露出するものであってもよい。
【００５９】
前記各実施形態では、スピニングリール１に適用されるツマミ３０について説明したが、両軸型の魚釣用リールのハンドルに設けられるツマミに対しても好適に適用することができる。
また、魚釣用リールに設けられるその他のツマミ、例えば、ブレーキツマミ等に対しても、前記各実施形態で示したツマミ３０を好適に適用することができる。
【符号の説明】
【００６０】
１      スピニングリール
５ａ    ハンドルアーム
２０    支軸
３０    ツマミ
３１    芯材
３１Ａ〜３１Ｈ  芯材
３１Ｊ  芯材
３５    把持部材
３５ａ  内面
３４ａ  張出部（変形付与部）
【図１】
2015047108.tif 000003
【図２】
2015047108.tif 000004
【図３】
2015047108.tif 000005
【図４】
2015047108.tif 000006
【図５】
2015047108.tif 000007
【図６】
2015047108.tif 000008
【図７】
2015047108.tif 000009
【図８】
2015047108.tif 000010
【図９】
2015047108.tif 000011
【図１０】
2015047108.tif 000012
【図１１】
2015047108.tif 000013
【図１２】
2015047108.tif 000014